(57)【要約】      （修正有）【課題】ファン流体動圧軸受の台座漏れ防止構造を提供する。【解決手段】流体動圧軸受の台座３のスルーホール３１の外孔口部の外囲には、台座のスルーホールと同軸の幾何学的閉鎖曲線形状をなす少なくとも１つ以上の漏れ防止用凹状リング３２が一体成形される。各漏れ防止用凹状リングの間には同じ幅または異なる幅の貼付環状面３３を有する。実施において、台座の外部には内層位置決めステッカー５が貼付されて貼合貼付環状面を被覆させ、さらに大きな面積の外層側ステッカー６が粘着されて、動圧軸受の台座のスルーホールの外孔口部の外囲に密閉式漏れ防止用凹状リングが形成される。密閉式漏れ防止用凹状リングにより、部材を増加させず、コストと作業時間を増やさずに、流体動圧軸受の台座の液漏れ防止効果が高まり、流体動圧軸受の耐用年数がより長くなり、産業上の実用性及び経済効率の向上を有効的に達成させることができる。【選択図】図２
0003209701.tif 000002
【実用新案登録請求の範囲】
【請求項１】
流体動圧軸受の台座のスルーホールの外孔口部の外囲には、幾何学的閉鎖曲線形状をなす１つ以上の漏れ防止用凹状リングが一体成形されることを特徴とするファン流体動圧軸受の台座漏れ防止構造。
【請求項２】
前記漏れ防止用凹状リングは、前記台座の前記スルーホールと同軸で設置されることを特徴とする、請求項１に記載のファン流体動圧軸受の台座漏れ防止構造。
【請求項３】
前記漏れ防止用凹状リングは、円形状、非円形状、多辺形形状、またはあらゆる幾何学的形状であることを特徴とする、請求項１または請求項２に記載のファン流体動圧軸受の台座漏れ防止構造。
【請求項４】
前記漏れ防止用凹状リングは、各漏れ防止用凹状リングの深さが同じであることを特徴とする、請求項１〜請求項３のうちいずれか一項に記載のファン流体動圧軸受の台座漏れ防止構造。
【請求項５】
前記漏れ防止用凹状リングは、各漏れ防止用凹状リングの幅が同じであることを特徴とする、請求項１〜請求項４のうちいずれか一項に記載のファン流体動圧軸受の台座漏れ防止構造。
【請求項６】
前記漏れ防止用凹状リングは、各漏れ防止用凹状リングの間に同じ幅または異なる幅の同心円貼付環状面を有することを特徴とする、請求項１〜請求項５のうちいずれか一項に記載のファン流体動圧軸受の台座漏れ防止構造。
【考案の詳細な説明】
【技術分野】
【０００１】
本考案は、ファン流体動圧軸受の台座漏れ防止構造に関する。
【背景技術】
【０００２】
一般的な従来の流体動圧軸受を具備する既知の放熱ファン構造は直流放熱ファン及び交流放熱ファンの２種類に分けられる。直流放熱ファンの動圧軸受の台座には軸心が装入されて定位される非貫通の穴が設けられ、これにより、直流放熱ファンの流体動圧軸受の台座では流体が漏れる問題が発生せず、カバーを具備せずとも閉鎖できる。
【０００３】
一方、交流放熱ファンの流体動圧軸受の台座は、流体動圧軸受が装設される開放貫通スルーホールを有しており、全体の装設が完成し、流体の注入が完了した後には、スルーホールを閉じる必要がある。既知の交流放熱ファンの流体動圧軸受の台座の穴を閉じる技術としては、カバーを流体動圧軸受の台座のスルーホールに装着し、内層位置決めステッカーにより被覆して貼り合わせ、大きな面積の外層側ステッカーにより粘着させて被覆させ、流体動圧軸受の台座の漏れ防止の目的及び効果を達成するようにしている。
【考案の概要】
【考案が解決しようとする課題】
【０００４】
しかしながら、前述した従来の技術では、閉鎖式漏れ防止はカバー自体により塞ぐまたは嵌装する方式であり、カバーを軸受の台座のスルーホールの内壁の間に填装させることのみにより漏れ防止をするようにしている。実施においてはステッカーにより予め粘着させて被覆させる。よって、実際の使用状態では、装設作業環境の高温、湿度変化、及び材質の日々の変質、使用時の軸受の回転による振動等の原因により、カバーの弾性疲労、変形、及び流体動圧軸受が回転による振動の影響で内圧が上昇して、ステッカーが剥がれて動圧軸受の流体が外に漏れ出す等の事態が生じ、流体動圧軸受に充填される流体が流失して効果及び耐用年数が日々低下し、故障が発生した。
【０００５】
そこで、本考案者は上記の欠点が改善可能と考え、鋭意検討を重ねた結果、上述の交流放熱ファンの流体動圧軸受の台座のスルーホールの穴閉鎖技術の欠点を改善させて、部材を増加させず、コスト及び作業時間も増やさずに、閉鎖漏れ防止の効果及び耐用年数の延長を実効的に達成させる。
【０００６】
本考案は、以上の従来技術の課題を解決する為になされたものである。即ち、本考案は、ファン流体動圧軸受の台座漏れ防止構造を提供することを目的とする。
【課題を解決するための手段】
【０００７】
上述した課題を解決し、目的を達成するために、本考案に係るファン流体動圧軸受の台座漏れ防止構造は、流体動圧軸受の台座のスルーホールの外孔口部の外囲には、幾何学的閉鎖曲線形状をなす１つ以上の漏れ防止用凹状リングが一体成形される。
【０００８】
実施において、台座の外部には内層位置決めステッカーが粘着されて貼付環状面を被覆するように貼り合わせられる。さらに、大きな面積の外層側ステッカーが粘着されて、動圧軸受の台座のスルーホールの外孔口部の外囲に台座のスルーホールと同軸の密閉式漏れ防止用凹状リングが形成される。密閉式漏れ防止用凹状リングにより、部材を増加させず、コスト及び作業時間も増やさずに、流体動圧軸受の台座の液漏れ防止効果の向上及び流体動圧軸受の耐用年数の延長という産業上の実用性及び経済効果を有効的に達成させることができる。
【考案の効果】
【０００９】
本考案によれば、部材を増加させず、コスト及び作業時間も増やさずに、漏れ防止効果の向上、構造の簡略化、優れた堅牢性、長い耐用年数の流体動圧軸受の台座漏れ防止構造を有効的に達成させ、交流放熱ファンの流体動圧軸受の台座の実用性及び経済効果を効果的に高める。
【図面の簡単な説明】
【００１０】
【図１】本考案の一実施形態を示す概略図である。
【図２】図１に示す部分拡大図である。
【図３】本考案の好ましい実施形態によるファン流体動圧軸受の台座外部の漏れ防止用凹状リングである。
【図４】図３に示すＡ―Ａの断面図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
以下、本考案の具体的な実施形態を図１〜４に基づいて説明する。まず、図１及び図３に示すように、ファン１の流体動圧軸受２はシャフト２１により台座３中に装設される。台座３のスルーホール３１を貫通させる外孔口部内部には、弾性を有する漏れ防止用カバー４が填装される。
【００１３】
また、図２乃至図４に示すように、台座３のスルーホール３１の外孔口部の外囲には、スルーホール３１と同軸の何学的閉鎖曲線形状の少なくとも１つ以上の漏れ防止用凹状リング３２が一体成形される。幾何学的閉鎖曲線形状の漏れ防止用凹状リング３２は、円形状の幾何学的閉鎖曲線形状、非円形状の幾何学的閉鎖曲線形状、多辺形幾何学的閉鎖曲線形状、またはあらゆる幾何学的閉鎖曲線形状である。本実施形態では円形状の幾何学的閉鎖曲線形状の漏れ防止用凹状リング３２を例として、図を添えて説明する。複数の漏れ防止用凹状リング３２は、同軸の同心円状態で設置されており、各漏れ防止用凹状リング３２の深さは同じである。各漏れ防止用凹状リング３２の幅は同じである。さらに、各漏れ防止用凹状リング３２の間には同じ幅の貼付環状面３３を有する。
【００１４】
本実施形態では、台座３の外部には内層位置決めステッカー５が粘着されて同心円の貼付環状面３３を被覆するように貼り合わせられ、さらに大きな面積の外層側ステッカー６が粘着されて内層位置決めステッカー５を被覆し、台座３のスルーホール３１の外孔口部の外囲に、台座３のスルーホール３１と同軸の漏れ防止用凹状リング３２が形成される。また、各密閉式幾何学的閉鎖曲線形状の漏れ防止用凹状リング３２内には高い気圧が存在し、これにより漏れ防止線が形成され、流体動圧軸受２内の液漏れがなくなり、さらには、漏れ出すにも１つ１つの密閉式漏れ防止用凹状リング３２を突破させるのに十分な正圧がなければならない。このため、スルーホール３１の外孔口部の外囲に漏れ防止用凹状リング３２が形成される本実施形態によれば、漏れ防止効果を確実に達成させる。また、流体動圧軸受２が運動して回転する場合には、漏れ防止用凹状リング３２により、軸受内部に発生する漏れがその正圧により各漏れ防止用凹状リング３２を突破させる際に、漏れの正圧が弱まり、液が外に向けて漏れなくなるという好ましい漏れ防止効果を達成させる。
【００１５】
上述したように、本考案に係るファン流体動圧軸受の台座漏れ防止構造は、動圧軸受の台座のスルーホールの外孔口部の外囲に、密閉式幾何学的閉鎖曲線形状の少なくとも１つ以上の漏れ防止用凹状リングが形成されることにより、部材を増加させず、コスト及び作業時間も増やさずに、流体動圧軸受の台座の液漏れ防止効果の向上、及び流体動圧軸受の耐用年数の延長という産業上の実用性及び経済効果を確実に達成させることができる。
【００１６】
なお、上記実施形態において、各漏れ防止用凹状リング３２の深さ及び幅は同じであるとしたが、同じでなくても良い。さらに、貼付環状面３３は同じ幅であるとしたが、同じでなくても良い。
本考案は、上述した実施形態に限定されるものではなく、考案の趣旨を逸脱しない範囲で種々の形態で実施可能である。
【符号の説明】
【００１７】
１  ファン
２  流体動圧軸受
２１  シャフト
３  台座
３１  スルーホール
３２  漏れ防止用凹状リング
３３  貼付環状面
４  漏れ防止用カバー
５  位置決めステッカー
６  外層側ステッカー
【図１】
0003209701.tif 000003
【図２】
0003209701.tif 000004
【図３】
0003209701.tif 000005
【図４】
0003209701.tif 000006